(57)【要約】【課題】電子機器の起立姿勢での安定性を向上させることができる電子機器用スタンドを提供する。【解決手段】電子機器用スタンド１０は、支持板部２２を内側に設けた蓋部２０と、蓋部２０に対して折り曲げ可能に設けられた連接部１８と、連接部１８に対して折り曲げ可能に設けられた基台部１６とを備え、支持板部２２の連接部１８側となる部分を蓋部２０から離間させ、該支持板部２２の下縁部を基台部１６の上面に係止させることにより、タブレット型ＰＣ１２を起立姿勢に保持可能に構成されており、支持板部２２の下縁部には、基台部１６の上面で係止される係止部材３２が支持板部２２の下縁部に対して回動可能に取り付けられている。【選択図】図１
2015087908.tif 000002
【特許請求の範囲】
【請求項１】
電子機器の背面を支持する支持板部と、該支持板部を内側に設けた蓋部と、該蓋部に対して折り曲げ可能に設けられた連接部と、該連接部に対して折り曲げ可能に設けられた基台部とを備え、前記支持板部の前記連接部側となる部分を前記蓋部から離間させ、該支持板部の下縁部を前記基台部の上面に係止させることにより、前記電子機器を起立姿勢に保持可能な電子機器用スタンドであって、
前記支持板部の下縁部には、前記基台部の上面で係止される係止部材が設けられ、該係止部材は前記支持板部の下縁部に対して回動可能に取り付けられていることを特徴とする電子機器用スタンド。
【請求項２】
請求項１記載の電子機器用スタンドにおいて、
前記基台部の上面には、前記係止部材の係止位置が複数設けられ、前記係止部材の係止位置を変更することにより、前記支持板部の起立角度を変更可能であることを特徴とする電子機器用スタンド。
【請求項３】
請求項２記載の電子機器用スタンドにおいて、
前記係止部材及び前記基台部の各係止位置のうち、一方には磁石が設けられ、他方には前記磁石と吸着可能な磁石又は被吸着体が設けられていることを特徴とする電子機器用スタンド。
【請求項４】
請求項２又は３記載の電子機器用スタンドにおいて、
前記基台部の各係止位置にはそれぞれ溝が設けられ、
前記係止部材の前記基台部の上面への係止面には前記溝に嵌合する突部が設けられていることを特徴とする電子機器用スタンド。
【請求項５】
請求項１〜４のいずれか１項に記載の電子機器用スタンドにおいて、
前記基台部の上面には、前記電子機器と通信可能なキーボード装置が設けられていることを特徴とする電子機器用スタンド。
【発明の詳細な説明】
【技術分野】
【０００１】
本発明は、電子機器を起立姿勢に保持することができる電子機器用スタンドに関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、通常、手で把持した状態で操作する場合と、机の上等に置いた状態で操作する場合とがあり、特に机の上等に置いた状態で操作する場合には、スタンドを利用して立てた状態で使用されることもある。
【０００３】
このようなスタンドに関し、特許文献１には、タブレット型ＰＣ等の電子機器を立たせることができる電子機器用スタンドであって、折り畳んだ状態では電子機器をカバー内部に収納して持ち運ぶことができる電子機器用ケースとしても兼用可能なものが提案されている。
【先行技術文献】
【特許文献】
【０００４】
【特許文献１】特開２０１３−０２５４２０号公報
【発明の概要】
【発明が解決しようとする課題】
【０００５】
上記特許文献１記載の構成では、電子機器を収容した支持板部の下縁部の角をキーボードが設けられた基台部の上面に形成された溝に引っ掛け、さらに互いを磁石によって吸着させることにより、電子機器を背面から支持する側面視三角形となる支持構造を構築し、これにより電子機器を安定した起立姿勢に保持することができる。
【０００６】
このように特許文献１記載の構成の場合、電子機器を支持した支持板部の下縁部の角部を溝に引っ掛ける構造としている。このため、角部の溝への引っ掛かり具合によっては、角部が溝内で安定せず、磁石による吸着力が適正に発揮されない可能性が指摘されている。特に、この構成では、基台部の前後方向に渡って溝を複数設け、複数位置で支持板部を係止することで電子機器の傾斜角度を変更可能としているため、角部の溝への挿入角度が各係止位置によって異なり、磁石による吸着力に差異を生じる可能性も指摘されている。
【０００７】
本発明は、上記従来技術の課題を考慮してなされたものであり、電子機器の起立姿勢での安定性を向上させることができる電子機器用スタンドを提供することを目的とする。
【課題を解決するための手段】
【０００８】
本発明に係る電子機器用スタンドは、電子機器の背面を支持する支持板部と、該支持板部を内側に設けた蓋部と、該蓋部に対して折り曲げ可能に設けられた連接部と、該連接部に対して折り曲げ可能に設けられた基台部とを備え、前記支持板部の前記連接部側となる部分を前記蓋部から離間させ、該支持板部の下縁部を前記基台部の上面に係止させることにより、前記電子機器を起立姿勢に保持可能な電子機器用スタンドであって、前記支持板部の下縁部には、前記基台部の上面で係止される係止部材が設けられ、該係止部材は前記支持板部の下縁部に対して回動可能に取り付けられていることを特徴とする。
【０００９】
このような構成によれば、タブレット型ＰＣ等の電子機器を背面から支持し、その下縁部が基台部の上面に係止される支持板部の下縁部に回動可能な係止部材を設けたことにより、支持板部の傾斜角度に関わらず、係止部材を常に適正な一定の姿勢で基台部の上面に係止させることができるため、電子機器の起立姿勢での安定性を向上させることができる。
【００１０】
前記基台部の上面には、前記係止部材の係止位置が複数設けられ、前記係止部材の係止位置を変更することにより、前記支持板部の起立角度を変更可能であってもよい。このように複数の係止位置を用い、複数の傾斜角度で支持板部を起立可能な構成とした場合であっても、支持板部の下縁部に回動可能な係止部材を設けているため、いずれの係止位置であっても常に一定の姿勢で係止部材を基台部の上面に係止させることができ、電子機器を常に安定保持することができる。
【００１１】
前記係止部材及び前記基台部の各係止位置のうち、一方には磁石が設けられ、他方には前記磁石と吸着可能な磁石又は被吸着体が設けられていると、磁石の吸着力により係止部材をより安定した状態で基台部の上面上で係止しておくことができ、電子機器の起立姿勢での安定性を一層向上させることができる。しかも、係止部材が回動し、該係止部材が基台部の上面に適正な姿勢で着地するため、全ての係止位置で磁石による吸着力を設計通り適正に発揮させることができる。
【００１２】
前記基台部の各係止位置には溝が設けられ、前記係止部材の前記基台部の上面への係止面には前記溝に嵌合する突部が設けられてもよい。そうすると、係止部材の突部を各係止位置に形成された溝に嵌合させるだけで、容易に支持板部の各係止位置への位置決めを行うことができる。
【００１３】
前記基台部の上面には、前記電子機器と通信可能なキーボード装置が設けられてもよい。
【発明の効果】
【００１４】
本発明によれば、支持板部の下縁部に回動可能な係止部材を設けたことにより、支持板部の傾斜角度に関わらず、係止部材を常に適正な一定の姿勢で基台部の上面に係止させることができ、電子機器の起立姿勢での安定性を向上させることができる。
【図面の簡単な説明】
【００１５】
【図１】図１は、本発明の一実施形態に係る電子機器用スタンドを用いてタブレット型ＰＣを所定の傾斜角度で起立姿勢とした状態を示す斜視図である。
【図２】図２は、図１に示す電子機器用スタンドからタブレット型ＰＣを外した状態を示す斜視図である。
【図３】図３は、電子機器用スタンドを折り畳み、タブレット型ＰＣを収納した状態を示す側面図である。
【図４】図４は、支持板部の下縁部を下面側から見た斜視図であり、図４（Ａ）は、支持板部の下縁部に回動可能に取り付けられた係止部材を示す図であり、図４（Ｂ）は、図４（Ａ）に示す係止部材を回動させた状態を示す図である。
【図５】図５は、後側の係止位置に支持板部を係止した状態を示す側面図である。
【図６】図６は、中間の係止位置に支持板部を係止した状態を示す側面図である。
【図７】図７は、前側の係止位置に支持板部を係止した状態を示す側面図である。
【図８】図８は、各係止位置での磁石の設置数を変化させた構成例を示す基台板の平面図である。
【発明を実施するための形態】
【００１６】
以下、本発明に係る電子機器用スタンドについて好適な実施の形態を挙げ、添付の図面を参照しながら詳細に説明する。
【００１７】
図１は、本発明の一実施形態に係る電子機器用スタンド１０を用いてタブレット型ＰＣ１２を所定の傾斜角度で起立姿勢とした状態を示す斜視図であり、図２は、図１に示す電子機器用スタンド１０からタブレット型ＰＣ１２を外した状態を示す斜視図である。また、図３は、電子機器用スタンド１０を折り畳み、タブレット型ＰＣ１２を収納した状態を示す側面図である。
【００１８】
本実施形態に係る電子機器用スタンド１０は、タブレット型ＰＣ１２等の電子機器を机の上等の設置面上で複数の傾斜角度で立てることができるスタンドとしての機能と、タブレット型ＰＣ１２を収納して持ち運ぶためのカバーケース（電子機器用ケース）としての機能とを備える。電子機器用スタンド１０の使用対象としては、タブレット型ＰＣ１２以外の電子機器、例えば、携帯電話、スマートフォン、又は電子手帳等も挙げられる。
【００１９】
本実施形態の場合のタブレット型ＰＣ１２は、タッチパネル式の液晶表示部からなるディスプレイ１２ａを備える。タブレット型ＰＣ１２は、その内部に基板、演算装置及びメモリ等の各種電子部品（図示せず）を収納したものであり、一般に公知のものを使用可能である。
【００２０】
図１〜図３に示すように、電子機器用スタンド１０は、基台部１６と、基台部１６に対して折り畳み可能に設けられた連接部１８と、連接部１８に対して折り畳み可能に設けられ、その内側にタブレット型ＰＣ１２を収容する蓋部２０と、蓋部２０の内側に設けられ、タブレット型ＰＣ１２の背面を固定・支持する支持板部２２とを備える。
【００２１】
基台部１６は、その外面を形成するカバー部材２４の内面側に薄板状の基台板２６を固着した２重構造である。基台部１６は、タブレット型ＰＣ１２のディスプレイ１２ａが設けられた面（前面）を覆うことができる薄板状のカバーであり、収納するタブレット型ＰＣ１２と平面視で略同一の外形を有した矩形形状となっている。基台部１６は、電子機器用スタンド１０を用いてタブレット型ＰＣ１２を使用する場合に、机の上や使用者の膝の上等に載置される底板となる。カバー部材２４が基台部１６から連接部１８を経て蓋部２０まで一体的に延在することで、当該電子機器用スタンド１０の外面が形成されている。
【００２２】
基台部１６の上面前方側、具体的には基台板２６の上面であって連接部１８側とは反対側となる位置には、キーボード装置２８が設けられている。キーボード装置２８は、無線又は有線によりタブレット型ＰＣ１２と接続され、タブレット型ＰＣ１２を操作するためのキーボードとして利用可能である。
【００２３】
基台部１６の上面後方側、具体的には基台板２６の上面であってキーボード装置２８の連接部１８側となる位置には、蓋部２０に収容されたタブレット型ＰＣ１２を立たせる際に使用する溝３０が左右方向（横方向）に延在形成されている。溝３０は、基台板２６の前後方向に複数本（本実施形態では３本）が平行に並んで設けられている（図３参照）。任意の溝３０を選択し、選択した溝３０に支持板部２２の下縁部に取り付けられた係止部材３２を係止させることにより、タブレット型ＰＣ１２を任意の傾斜角度で起立保持することができる（図５〜図７参照）。各溝３０は、基台部１６と連接部１８との間の境界となる折り畳み線Ａ１、及び連接部１８と蓋部２０との間の境界となる折り畳み線Ａ２と平行に設けられ、いずれの溝３０を選択しても支持板部２２及びタブレット型ＰＣ１２が傾いたり、軋んだりすることはない。
【００２４】
各溝３０の前側には、前記係止部材３２と吸着することで係止部材３２を基台板２６の上面でより安定して保持するための磁石３４がそれぞれ埋設されている。磁石３４は、溝３０の延在方向に沿って複数設けられている。磁石３４は、全ての溝３０に対応する位置で同数とし、同一の吸着強度を発揮するように構成してもよいが、後述する図８に示すように、各溝３０に対応する位置によって設置数を異ならせてもよい。
【００２５】
連接部１８は、蓋部２０に収容したタブレット型ＰＣ１２を内側にして蓋部２０と基台部１６とを二つ折りに折り畳んだ場合に、本の背表紙のようにタブレット型ＰＣ１２の端面を覆う部分であり、タブレット型ＰＣ１２の厚み以上の幅を有する。連接部１８には、基台部１６との間の折り畳み線Ａ１と、蓋部２０との間の折り畳み線Ａ２とが左右横方向に延在するように形成されている。
【００２６】
蓋部２０は、タブレット型ＰＣ１２のディスプレイ１２ａが設けられた面の背面を覆うことができる薄板状のカバーであり、基台部１６と略同一の矩形形状を有する。タブレット型ＰＣ１２を内側にし、蓋部２０と基台部１６とを連接部１８を介して二つ折りに折り畳むと、蓋部２０は、タブレット型ＰＣ１２を挟んで基台部１６と重なるように配置される。蓋部２０の連接部１８寄りの部分には、該蓋部２０を二つに折り曲げるための中折り線Ｂが形成されている（図１及び図２参照）。
【００２７】
支持板部２２は、タブレット型ＰＣ１２の背面を支持するための板状の支持部材であり、その前後方向（高さ方向）長さが蓋部２０と略同一であり、その幅方向長さが蓋部２０よりも短い矩形形状を有する。図１及び図２から明らかなように、支持板部２２は、蓋部２０の内面における中折り線Ｂよりも開放端側（連接部１８側とは反対の上側）で該蓋部２０と固着され、中折り線Ｂよりも連接部１８側となる位置は蓋部２０に対してフリーな状態となっている。これにより、蓋部２０を中折り線Ｂによって折り曲げることができ、その際、支持板部２２の下縁部側を蓋部２０から離間させることができる。
【００２８】
図２に示す起立状態で上端となる支持板部２２の前端には、内側に向かって突出した爪状のフック３５が設けられ、該起立状態で下端となる支持板部２２の後端には、内側に向かって突出したホルダ３６が設けられている。
【００２９】
図１〜図３に示すように、フック３５は、タブレット型ＰＣ１２の上端面と略同一の奥行きを持ち、該上端面を係合可能な弾性爪部である。ホルダ３６は、タブレット型ＰＣ１２の下端面と略同一の奥行きを持ち、該下端面が載置される載置台である。ホルダ３６には、タブレット型ＰＣ１２の下端面に形成された図示しない凹部と係合可能な横長の凸条３８ａと、該凸条３８ａから上方へと突出した一対の凸片３８ｂ，３８ｂが設けられている。タブレット型ＰＣ１２の前記凹部を凸条３８ａ及び凸片３８ｂに係合させた後、タブレット型ＰＣ１２の上端面をフック３５に押し込んで係合させることにより、支持板部２２にタブレット型ＰＣ１２を固定・支持させることができる（図１及び図３参照）。
【００３０】
図４は、支持板部２２の下縁部を下面側から見た斜視図であり、図４（Ａ）は、支持板部２２の下縁部に回動可能に取り付けられた係止部材３２を示す図であり、図４（Ｂ）は、図４（Ａ）に示す係止部材３２を回動させた状態を示す図である。
【００３１】
図１〜図４に示すように、支持板部２２の下縁部には、基台部１６の上面に着地して係止される係止部材３２が回動可能に取り付けられている。係止部材（着地部材）３２は、ホルダ３６の湾曲した下面３６ａ内に、その曲面部分の上半部が挿入された半円柱形状の部材であり、下面３６ａから突出したアーム片４０に対して摺動可能に連結されており（図５〜図７参照）、これにより下面３６ａ内で該下面３６ａの湾曲方向に沿って回動することができる。つまり、係止部材３２は、支持板部２２の傾斜方向を変化させる方向に回動可能となっている（図５〜図７参照）。アーム片４０は、係止部材３２内に挿入される先端側に抜け止め用の大径部（図示せず）が形成された棒状部材であり、係止部材３２の延在方向に沿って複数本設けられている。係止部材３２の回動範囲は、少なくとも図５〜図７に示すように、当該電子機器用スタンド１０に設定される全ての係止位置に対応可能な範囲に設定される。
【００３２】
係止部材３２の下面は、基台部１６の上面に面接触によって着地する平坦な係止面（着地面）３２ａとなっており、該係止面３２ａには、基台部１６の溝３０と嵌合可能な横長の突部４２と、基台部１６の磁石３４と吸着可能な磁石４４とが設けられている。磁石４４は、突部４２の延在方向に沿って複数埋設されている。
【００３３】
このように構成される電子機器用スタンド１０の材質として、例えば、基台部１６のカバー部材２４、連接部１８及び蓋部２０には、ガラスエポキシ樹脂やポリカーボネイト、カーボン等からなる薄い平板を芯材とし、その周囲を皮革や人工皮革、布等で囲繞したものを用いるとよい。また、基台部１６の基台板２６及び支持板部２２には、剛性の高い樹脂材料等を用いるとよい。
【００３４】
次に、以上のように構成される電子機器用スタンド１０を図３に示す収納姿勢から図５〜図７に示す起立姿勢へと変形させる方法を説明する。図５は、後側の係止位置（溝３０）に支持板部２２を係止した状態を示す側面図であり、図６は、中間の係止位置（溝３０）に支持板部２２を係止した状態を示す側面図であり、図７は、前側の係止位置（溝３０）に支持板部２２を係止した状態を示す側面図である。
【００３５】
先ず、電子機器用スタンド１０は、図３に示す収納姿勢では、支持板部２２の内面にフック３５及びホルダ３６を介してタブレット型ＰＣ１２が固定された状態で蓋部２０及び基台部１６が折り畳み線Ａ１，Ａ２を介して二つ折りに折り畳まれている。これにより、タブレット型ＰＣ１２は、その一端面が連接部１８によって覆われ、背面が蓋部２０によって覆われ、前面が基台部１６によって覆われているため、使用者は、電子機器用スタンド１０により、ブックカバーのようにタブレット型ＰＣ１２を保護した状態で持ち運ぶことができる。
【００３６】
次に、図３に示す収納姿勢にある電子機器用スタンド１０及びタブレット型ＰＣ１２を起立姿勢に変化させる場合には、図５〜図７に示すように基台部１６を机の上等に載置し、連接部１８の折り畳み線Ａ１，Ａ２を介して蓋部２０をタブレット型ＰＣ１２と共に上方へと開く。この際、蓋部２０を開きながら中折り線Ｂを介して蓋部２０の開放端側（上端側）となる部分を後方に折り返し、支持板部２２の下縁部に設けた係止部材３２を基台部１６（基台板２６）の上面に設けた係止位置（溝３０及び磁石３４）のうち、所望の係止位置に係止させる。
【００３７】
本実施形態では、基台部１６の上面に３つの係止位置（溝３０及び磁石３４）が設定されている。そこで、使用者は、タブレット型ＰＣ１２の起立姿勢時の傾斜角度が所望の角度位置となる係止位置を選択し、選択した係止位置に対応する溝３０に係止部材３２の突部４２を嵌合させ、同時に磁石３４に磁石４４を吸着させる。例えば、タブレット型ＰＣ１２の傾斜角度を起こして鉛直方向に近づけたい場合には、後側の係止位置となる溝３０及び磁石３４に係止部材３２を係止させ（図５参照）、タブレット型ＰＣ１２の傾斜角度を寝かせて水平方向に近づけたい場合には、前側の係止位置となる溝３０及び磁石３４に係止部材３２を係止させ（図７参照）、タブレット型ＰＣ１２の傾斜角度を図５と図７との中間位置としたい場合には、中間の係止位置となる溝３０及び磁石３４に係止部材３２を係止させる（図６参照）。
【００３８】
これにより、図５〜図７に示すように、支持板部２２と蓋部２０と基台部１６とによって側面視三角形となる支持構造でタブレット型ＰＣ１２が背面から支持されるため、基台部１６に対する支持板部２２の傾斜姿勢が維持され、タブレット型ＰＣ１２が起立姿勢で維持される。この際、係止部材３２が支持板部２２の下縁部に回動可能（首振り可能）に取り付けられているため、図５〜図７に示すいずれの係止位置においても、係止部材３２はその係止面３２ａが基台部１６の上面に対して面接触し、互いに密着する。つまり、いずれの係止位置においても係止部材３２が基台部１６の上面に対して常に垂直方向に向いて着地するため、溝３０と突部４２の嵌合状態及び磁石３４と磁石４４の吸着状態が常に最適な状態となり、その接続強度を確実に担保できる。
【００３９】
ところで、当該電子機器用スタンド１０では、図５〜図７に示すように、各係止位置に係止部材３２を係止させ、タブレット型ＰＣ１２を各傾斜角度に設定した場合、タブレット型ＰＣ１２の重心Ｇから、該タブレット型ＰＣ１２を背後から支持する三角形の一頂点（折り畳み線Ａ２）までの距離が各傾斜角度によって異なる。すなわち、図５に示す最も起立した傾斜角度で重心Ｇが最も後方となり、図７に示す最も横臥した傾斜角度で重心Ｇが最も前方となる。従って、図５に示す最も起立した傾斜角度とした場合、重心Ｇが後方に移動しているためタブレット型ＰＣ１２が不安定な状態となり易い。そこで、図８に示すように、各係止位置での磁石３４の設置数を変化させ、例えば、前側から後側に向かって磁石３４の設置数を多くし、後方の係止位置での磁石３４，４４の吸着強度を高め、上記のようにタブレット型ＰＣ１２が不安定な状態となることを回避する構成としてもよい。
【００４０】
以上のように、本実施形態に係る電子機器用スタンド１０は、電子機器であるタブレット型ＰＣ１２の背面を支持する支持板部２２と、支持板部２２を内側に設けた蓋部２０と、蓋部２０に対して折り曲げ可能に設けられた連接部１８と、連接部１８に対して折り曲げ可能に設けられた基台部１６とを備え、支持板部２２の連接部１８側となる部分を蓋部２０から離間させ、該支持板部２２の下縁部を基台部１６の上面に係止させることにより、タブレット型ＰＣ１２を起立姿勢に保持可能であり、支持板部２２の下縁部には、基台部１６の上面で係止される係止部材３２が設けられ、該係止部材３２は支持板部２２の下縁部に対して回動可能に取り付けられている。
【００４１】
このように、電子機器用スタンド１０では、タブレット型ＰＣ１２を所定の傾斜角度で背面から支持し、その下縁部が基台部１６の上面に係止される支持板部２２の下縁部に回動可能な係止部材３２を設けている。これにより、支持板部２２の傾斜角度に関わらず、係止部材３２を常に適正な一定の姿勢で基台部１６の上面に係止させることができるため、タブレット型ＰＣ１２の起立姿勢での安定性を向上させることができる。
【００４２】
当該電子機器用スタンド１０では、基台部１６の上面には、係止部材３２の係止位置（本実施形態では溝３０及び磁石３４）が複数設けられ、係止部材３２の係止位置を変更することにより、支持板部２２の起立角度を変更可能となっている。このように複数の係止位置を用い、複数の傾斜角度で支持板部２２を起立可能な構成とした場合においても、本実施形態では、支持板部２２の下縁部に回動可能な係止部材３２を設けているため、いずれの係止位置であっても常に一定の姿勢で係止部材３２を基台部１６の上面に係止させることができ、タブレット型ＰＣ１２を常に安定保持することができる。
【００４３】
当該電子機器用スタンド１０では、基台部１６の上面の各係止位置及び係止部材３２にそれぞれ磁石３４及び磁石４４が設けられているため、これら磁石３４，４４間の吸着力により係止部材３２をより安定した状態で基台部１６の上面上で係止しておくことができ、タブレット型ＰＣ１２の起立姿勢での安定性を一層向上させることができる。すなわち、係止部材３２が回動し、常に係止面３２ａが基台部１６の上面に適正な姿勢で着地するため、全ての係止位置で磁石３４，４４間の吸着力を設計通り適正に発揮させることができる。なお、本実施形態では、基台部１６及び係止部材３２の両者に磁石３４，４４を設けた構成を例示したが、基台部１６及び係止部材３２のいずれか一方のみに磁石を設け、他方には該磁石と吸着する鉄板等の被吸着体を設けてもよい。
【００４４】
この場合、全ての係止位置での磁石３４と磁石４４との間の吸着強度をそれぞれ同一にしておくことにより、各係止位置に係止部材３２を係止させる際の操作力が一定となり、且つ各係止位置に係止させた係止部材３２を離脱させる際の操作力も一定となり、当該電子機器用スタンド１０の操作感と使い勝手が向上する。これに対して、図８に示すように、各係止位置での磁石３４の設置数を変化させて吸着強度を変化させた構成とし、例えば、図５に示すように重心Ｇが最も後方にあってタブレット型ＰＣ１２が不安定な起立状態となり易い係止位置での磁石３４の設置数を多くして吸着強度を高めてもよい。この構成は、特に、収容対象となるタブレット型ＰＣ１２の重量が大きく、重心Ｇが後方に移動した場合により不安定になることが想定される仕様等の場合に有効である。
【００４５】
当該電子機器用スタンド１０では、基台部１６の上面の各係止位置には溝３０が設けられ、係止部材３２の基台部１６の上面への係止面３２ａには溝３０に嵌合する突部４２が設けられているため、係止部材３２の突部４２を各係止位置に形成された溝３０に嵌合させるだけで、容易に支持板部２２の各係止位置への位置決めを行うことができる。しかも、各溝３０に磁石３４が対応するように配置されているため、磁石３４，４４間の吸着作業も容易である。
【００４６】
なお、本発明は、上記した実施形態に限定されるものではなく、本発明の主旨を逸脱しない範囲で自由に変更できることは勿論である。
【００４７】
例えば、上記実施形態では、係止部材３２を基台部１６の上面で係止させる構造として、溝３０と突部４２とを嵌合させ、磁石３４と磁石４４とを吸着させる構造を例示したが、これ以外の構造であっても係止部材３２を基台部１６の上面で確実に係止させることができればよい。例えば、溝３０と突部４２とを強固に嵌脱可能であれば磁石３４，４４を省略してよく、反対に溝３０及び突部４２を省略して磁石３４，４４のみを用いる構成としてもよい。なお、溝３０及び突部４２を省略した場合には、係止部材３２の複数の係止位置を示すマーク等を基台部１６の上面に記しておくとよい。
【００４８】
また、支持板部２２への電子機器の支持構造は、上記のようにフック３５及びホルダ３６を用いた構造以外であっても勿論よく、例えば、磁石によって支持板部２２の表面に電子機器を吸着する構造等であってもよい。
【符号の説明】
【００４９】
１０  電子機器用スタンド
１２  タブレット型ＰＣ
１２ａ  ディスプレイ
１６  基台部
１８  連接部
２０  蓋部
２２  支持板部
２４  カバー部材
２６  基台板
２８  キーボード装置
３０  溝
３２  係止部材
３２ａ  係止面
３４，４４  磁石
３５  フック
３６  ホルダ
３６ａ  下面
３８ａ  凸条
３８ｂ  凸片
４０  アーム片
４２  突部
【図１】
2015087908.tif 000003
【図２】
2015087908.tif 000004
【図３】
2015087908.tif 000005
【図４】
2015087908.tif 000006
【図５】
2015087908.tif 000007
【図６】
2015087908.tif 000008
【図７】
2015087908.tif 000009
【図８】
2015087908.tif 000010